【事件の表示】
　特許第２９３５７７３号「ディスク選択駆動装置」の特許に対する特許異議の申立てについて、次のとおり決定する。
【結　論】
　訂正を認める。
　特許第２９３５７７３号の請求項１、２に係る特許を取り消す。
【理　由】
１.手続の経緯
　本件特許第２９３５７７３号の請求項１及び２に係る発明についての出願は、平成４年５月１９日に出願され、平成１１年６月４日にその発明について特許権の設定の登録がなされ、その後、特許異議の申立てがなされ、取消理由通知がなされ、その指定期間内である平成１２年７月２４日に訂正請求がなされたものである。
　　
２.訂正の適否についての判断
　(1)訂正の内容
　 特許権者が求めている訂正の内容は、次のとおりである。
　 ア.訂正事項(i)
　　願書に添付した明細書の請求項１及び２を次のとおり訂正する。
　「【請求項１】 複数のディスク
が収納される
車室内に設置される第１の
、さらに前記第１のディスク駆動ユニットには、前記操作部材の操作に応じて第１のディスク駆動ユニット自らを制御するとともに、前記操作部材からの操作入力データを前記第２のディスク駆動ユニットに与える回路部が設けられている
　【請求項２】操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられ
、前記第１のディスク駆動ユニットに設けられた前記回路部では、前記切換え操作部材の操作入力に応じて、第１のディスク駆動ユニットのオーディオ回路と第２のディスク駆動ユニットのオーディオ回路との切換えが行われる
（下線は、訂正部分を示す。）
　 イ.訂正事項(ii)
　　特許明細書の段落【0008】及び【0009】を次のとおり訂正する。
　　「【０００８】
　　【課題を解決するための手段】
　　本発明によるディスク選択駆動装置は、複数のディスク
が収納される
車室内に設置される第１の
、さらに前記第１のディスク駆動ユニットには、前記操作部材の操作に応じて第１のディスク駆動ユニット自らを制御するとともに、前記操作部材からの操作入力データを前記第２のディスク駆動ユニットに与える回路部が設けられている
　　【０００９】
　　さらに上記手段において、操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられ
、前記第１のディスク駆動ユニットに設けられた前記回路部では、前記切換え操作部材の操作入力に応じて、第１のディスク駆動ユニットのオーディオ回路と第２のディスク駆動ユニットのオーディオ回路との切換えが行われる
（下線は、訂正部分を示す。）
　　
　(2)訂正の目的の適否、新規事項の有無及び拡張・変更の存否
　 ア.訂正事項(i)について
　　上記訂正事項(i)において、請求項１における「複数のディスクの収納部と、」を「複数のディスク
が収納される
　　また、上記訂正事項(i)の上記以外の訂正は、「第１のディスク駆動ユニット」についてさらに限定するものであるから、特許請求の範囲の減縮に該当するものである。
　 イ.訂正事項(ii)について
　　上記訂正事項(ii)は、請求項１及び２の訂正に伴って、特許請求の範囲の記載と発明の詳細な説明の記載との整合を図るものであるから、明りょうでない記載の釈明に該当するものである。
　 そして、上記訂正事項(i)及び(ii)は、いずれも新規事項の追加に該当するものではなく、また実質上特許請求の範囲を拡張し、又は変更するものでもない。
　　
　(3)むすび
　 以上のとおり、上記訂正請求は、特許法第１２０条の４第２項、及び同条第３項において準用する同法第１２６条第２〜３項の規定に適合するものであるから、当該訂正を認める。
　　
３.特許異議申立について
　(1)本件発明
　 本件特許の請求項１及び２に係る発明（以下、それぞれ「本件発明１」、「本件発明２」という。）は、上記訂正請求により訂正された訂正明細書の請求項１及び２〔上記２.(1)ア.参照〕に記載された事項により特定されるとおりのものである。
　　
　(2)取消理由の概要
　 当審において通知した取消理由は、大要次のとおりである。
　 本件出願の請求項１及び２に係る発明は、従来から周知のディスク駆動ユニット(例えば、特開平３−２３５２５６号公報参照)と特開平４−３８６９３号公報（以下、「引用刊行物」という。）に記載された発明に基づいて当業者が容易に発明をすることができたものと認められるから、特許法第２９条第２項の規定により特許を受けることができない。
　　
　(3)周知の事項及び引用刊行物に記載された発明
　 当審の取消理由における周知のディスク駆動ユニット、及び上記引用刊行物に記載された事項は、それぞれ以下のとおりである。
　 [周知のディスク駆動ユニット]
　 「複数のディスクの収納部と、この複数のディスクのうち選択されたものを駆動するディスク駆動部と、前記ディスクの収納部とディスク駆動部を操作する操作部材を有する操作面が設けられているディスク駆動ユニット。」
　 [引用刊行物に記載された事項]
　　上記引用刊行物には、複数台のディスクオートチェンジャーを制御することができる「ディスクオートチェンジャー制御装置」に関する発明が記載されており、特に第２頁右上欄１５行〜第３頁右下欄６行の記載及び第１〜３図をみれば、次の事項についても記載されている。
　　(i)複数のＣＤ〔ディスク〕が収納されるマガジン〔収納部〕と、この複数のＣＤのうち選択されたものを駆動してＣＤの再生を行うプレーヤ〔ディスク駆動部〕がそれぞれ設けられた複数台のＣＤオートチェンジャー〔ディスク駆動ユニット〕(A,B,C,……N)が設けられていること。（なお、〔　〕内には、本件発明１及び２の対応する用語を示す。以下同じ）
　　(ii)前記複数台のＣＤオートチェンジャーは、コントローラ(1)と制御ユニット〔回路部〕(2)によって制御され、前記コントローラの操作面には、前記複数台のＣＤオートチェンジャーのいずれか１台を指定する操作釦〔切換え操作部材〕(1A)と、この指定されたＣＤオートチェンジャーに対して共通にＣＤ番号や曲番の指定を行うテンキー〔ディスク選択操作部材〕(1B)が設けられていること。
　　(iii)前記制御ユニットでは、前記操作釦(1A)の操作入力に応じて、それぞれのＣＤオートチェンジャーから出力されるＬch及びＲch再生信号(21,22)が、アナログスイッチ(9)により出力端子(14)へ選択的に切換えられること。
　　
　(4)対比・判断
　 ア.本件発明１について
　　本件発明１(前者)と上記周知のディスク駆動ユニット(後者)とを比較すると、両者は、
　　「複数のディスクが収納される収納部と、この複数のディスクのうち選択されたものを駆動するディスク駆動部が設けられたディスク駆動ユニットであって、前記ディスク駆動ユニットにはこれを操作する操作部材を有する操作面が設けられているディスク駆動ユニット。」
である点において一致し、次の点において相違する。
　　[相違点]
　　(i) 前者においては、ディスク駆動ユニットが２台設けられ、そのうちの車室内に設置される第１のディスク駆動ユニットには、第１と第２のそれぞれのディスク駆動ユニットを操作する操作部材を有する操作面が設けられているのに対して、後者ではディスク駆動ユニットが１台だけである点。
　　(ii)前者においては、第１のディスク駆動ユニットには、操作部材の操作に応じて第１のディスク駆動ユニット自らを制御するとともに、前記操作部材からの操作入力データを第２のディスク駆動ユニットに与える回路部が設けられているのに対して、後者ではこのような回路部について記載されていない点。
　　以下、上記相違点について検討する。
　　[相違点(i)について]
　　ディスク選択駆動装置において、ディスク駆動ユニットを複数設けて、これら複数のディスク駆動ユニットを操作する共通の操作部材を有する操作面を設けることは、上記引用刊行物に記載されているとおり公知の事項であるから、上記周知のディスク駆動ユニットにおいて、第２のディスク駆動ユニットを追加すると共に、この追加されたディスク駆動ユニットの操作部材を前記周知のディスク駆動ユニットの操作部材と共通のものとすることは、前記公知の事項に基づいて当業者が容易に想到し得たことである。
　　また、ディスク駆動ユニットを車室内に設置する点については、上記周知例として示した特開平３−２３５２５６号公報にも記載されているとおり周知の事項であるから、格別のことではない。
　　[相違点(ii)について]
　　上記周知のディスク駆動ユニットのように、操作部材を有する操作面が設けられているディスク駆動ユニットにおいて、その操作部材の操作に応じてそのディスク駆動ユニット自らを制御する回路部を設けていることは、自明の事項である。
　　また、前記操作部材からの操作入力データを第２のディスク駆動ユニットに与える回路部を第１のディスク駆動ユニットに設ける点については、上記周知のディスク駆動ユニットにおいて、第２のディスク駆動ユニットを追加し、この追加したディスク駆動ユニットの操作部材を前記周知のディスク駆動ユニットの操作部材と共通のものとするとき、当業者が適宜採用し得る設計的事項である。
　　
　 イ.本件発明２について
　　本件発明２(前者)と上記周知のディスク駆動ユニット(後者)とを比較すると、両者は、上記３.(4)ア.の「本件発明１について」の場合と同じ一致点及び相違点を有しており、さらに次の点においても相違する。
　　[相違点]
　　(iii)前者においては、操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられているのに対して、後者ではディスク駆動ユニットが１台だけであり、このような切換え操作部材やディスク選択操作部材が設けられていない点。
　　(iv)前者においては、第１のディスク駆動ユニットに設けられた回路部では、切換え操作部材の操作入力に応じて、第１のディスク駆動ユニットのオーディオ回路と第２のディスク駆動ユニットのオーディオ回路との切換えが行われるのに対して、後者ではこのように構成されていない点。
　　以下、上記相違点について検討する。
　　[相違点(iii)について]
　　複数のディスク駆動ユニットを有するディスク選択駆動装置において、ディスク駆動ユニットを選択する切換え操作部材と、それぞれのディスク駆動ユニットに対して共通のディスク選択操作部材とを操作面に設けることは、上記引用刊行物に記載されているとおり公知の事項であるから、上記周知のディスク駆動ユニットに第２のディスク駆動ユニットを追加するとき、上記公知の事項を合わせて適用することは当業者が容易に想到し得たことである。
　　[相違点(iv)について]
　　上記引用刊行物に記載されたディスク選択駆動装置において、それぞれのディスク駆動ユニットから出力されアナログスイッチ(9)に入力するＬch及びＲch再生信号(21,22)は、技術的にみてオーディオ回路からの出力信号であることが明らかである。
　　してみれば、複数のディスク駆動ユニットを有するディスク選択駆動装置において、切換え操作部材の操作入力に応じて、それぞれのディスク駆動ユニットに設けられたオーディオ回路の切換えが行われていることは、上記引用刊行物に記載されているとおり公知の事項であるから、上記周知のディスク駆動ユニットに第２のディスク駆動ユニットを追加するとき、上記公知の事項を合わせて適用することは当業者が容易に想到し得たことである。
　　
　(5)むすび
　以上のとおりであって、本件発明１及び２は、上記周知のディスク駆動ユニット及び上記引用刊行物に記載された事項に基づいて、当業者が容易に発明をすることができたものであるから、特許法第２９条第２項の規定により特許を受けることができない。
　したがって、本件発明１及び２についての特許は、拒絶の査定をしなければならない特許出願に対してなされたものである。
　よって、特許法等の一部を改正する法律(平成6年法律第116号)附則第１４条の規定に基づく、特許法等の一部を改正する法律の施行に伴う経過措置を定める政令(平成7年政令第205号)第４条第２項の規定により、上記のとおり決定する。
【異議決定日】
平成１２年１０月１２日（２０００．１０．１２）
【訂正の要旨】
　訂正の要旨
１．請求項１において、
　「複数のディスクの収納部と、この複数のディスクのうち選択されたものを駆動するディスク駆動部がそれぞれ設けられた第１と第２のディスク駆動ユニットが設けられ、一方のディスク駆動ユニットには、第１と第２のそれぞれのディスク駆動ユニットを操作する操作部材を有する操作面が設けられていることを特徴とするディスク選択駆動装置。」とあるを、
　特許請求の範囲の減縮及び明りょうでない記載の釈明を目的として、「複数のディスク
が収納される
車室内に設置される第１の
、さらに前記第１のディスク駆動ユニットには、前記操作部材の操作に応じて第１のディスク駆動ユニット自らを制御するとともに、前記操作部材からの操作入力データを前記第２のディスク駆動ユニットに与える回路部が設けられている
２．請求項２において、
　「操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられている請求項１記載のディスク選択駆動装置。」とあるを、
　特許請求の範囲の減縮を目的として、「操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられ
、前記第１のディスク駆動ユニットに設けられた前記回路部では、前記切換え操作部材の操作入力に応じて、第１のディスク駆動ユニットのオーディオ回路と第２のディスク駆動ユニットのオーディオ回路との切換えが行われる
３．特許明細書の段落【０００８】及び【０００９】を、明りょうでない記載の釈明を目的として、次のとおり訂正する。
　「【０００８】
　【課題を解決するための手段】
　本発明によるディスク選択駆動装置は、複数のディスクが
収納される
車室内に設置される第１の
、さらに前記第１のディスク駆動ユニットには、前記操作部材の操作に応じて第１のディスク駆動ユニット自らを制御するとともに、前記操作部材からの操作入力データを前記第２のディスク駆動ユニットに与える回路部が設けられている
　【０００９】
　さらに上記手段において、操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられ
、前記第１のディスク駆動ユニットに設けられた前記回路部では、前記切換え操作部材の操作入力に応じて、第１のディスク駆動ユニットのオーディオ回路と第２のディスク駆動ユニットのオーディオ回路との切換えが行われる
（５４）【発明の名称】
ディスク選択駆動装置
（５７）【特許請求の範囲】
　　【請求項１】　複数のディスク
が収納される
車室内に設置される第１の
、さらに前記第１のディスク駆動ユニットには、前記操作部材の操作に応じて第１のディスク駆動ユニット自らを制御するとともに、前記操作部材からの操作入力データを前記第２のディスク駆動ユニットに与える回路部が設けられている
　　【請求項２】　操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられ
、前記第１のディスク駆動ユニットに設けられた前記回路部では、前記切換え操作部材の操作入力に応じて、第１のディスク駆動ユニットのオーディオ回路と第２のディスク駆動ユニットのオーディオ回路との切換えが行われる
【発明の詳細な説明】
　　　【０００１】
　　【産業上の利用分野】
　本発明はいわゆるディスクチェンジャと称されるディスク駆動ユニットが複数設けられた場合に、それぞれのディスク駆動ユニットを共通の操作面により操作できるようにしたディスク選択駆動装置に関する。
　　　【０００２】
　　【従来の技術】
　車載用の音響機器として複数枚のディスクのうち選択されたものを駆動して再生などするディスクチェンジャと称されるディスク駆動ユニットが使用されている。
　従来のディスク駆動ユニットは６枚ないし９枚などの多数のディスクが収納されたマガジンが装填され、このマガジン内から所望のディスクが選択され、このディスクがディスク駆動部により駆動されて再生されるようになっている。
　　　【０００３】
　この種のディスク駆動ユニットは多数のディスクが収納されるものであるため、ユニット全体が大きなものとなっている。よってこのユニット本体が自動車のトランクルームなどに設置され、車室内にはコントローラと称される操作装置が設置され、この操作装置を操作することにより、トランクルーム内に設置されたユニット本体にてディスクの選択動作およびディスク駆動動作が行なわれるようになっている。このディスク駆動ユニットは比較的多数のディスクを順次再生できるが、例えば再生すべきディスクを新たに装填しようとした場合、停車してトランクルームを開けてマガジンの交換操作などを行う必要が生じ、装填操作がやりにくい欠点がある。
　　　【０００４】
　一方、最近では車室内のダッシュボードなどに装着される小型のディスク選択機能を有するディスク駆動ユニットが開発されつつある。このディスク駆動ユニットは、トランクルームを使用する必要がなくまた車室内にて直接新たなディスクの装填操作などができる利点を有しているが、その反面、設置場所が狭いダッシュボードであるため大きさに限界があり、よって収納できるディスクの枚数も３枚あるいは４枚程度に限定されてしまう欠点がある。
　　　【０００５】
　そこで、前記のトランクルームなどに設置される大型のディスク駆動ユニットと、ダッシュボードなどに設置される小型のディスク駆動ユニットの双方を自動車に搭載すれば、小型のディスク駆動ユニットを使用するときには、新たなディスクを車室内にて自由に装填し直すことができる操作性の利点を利用でき、さらに長時間ドライブのときにはトランクルームなどに設置された大型のディスク駆動ユニットを連続動作させるなどの使い分けができるようになる。さらに小型のディスク駆動ユニットと大型のディスク駆動ユニットを交互に動作させることにより、実質的に多数枚のディスクの再生が可能になる。
　　　【０００６】
　　【発明が解決しようとする課題】
　ところが、前記２種類のディスク駆動ユニットの双方を自動車に搭載した場合には、それぞれのディスク駆動ユニットに対応した操作パネルあるいはコントローラを別々に車室内に装備しなくてはならなくなる。その結果、操作部材の配置箇所が増えて、車室内のダッシュボードなどのスペースを有効に利用できなくなるのみならず、それぞれのディスク駆動ユニットに対応した操作面またはコントローラを使い分けなくてはならないため、操作が非常に煩雑になる。
　　　【０００７】
　本発明は上記従来の課題を解決するものであり、２種類のディスク駆動ユニットを併用した場合であっても、操作面をシンプルなものにでき、また簡単な操作でそれぞれのディスク駆動ユニットを使い別けることができるようにしたディスク選択駆動装置を提供することを目的とするものである。
　　　【０００８】
　　【課題を解決するための手段】
　本発明によるディスク選択駆動装置は、複数のディスクが
収納される
車室内に設置される第１の
、さらに前記第１のディスク駆動ユニットには、前記操作部材の操作に応じて第１のディスク駆動ユニット自らを制御するとともに、前記操作部材からの操作入力データを前記第２のディスク駆動ユニットに与える回路部が設けられている
　　　【０００９】
　さらに上記手段において、操作面には、第１または第２のディスク駆動ユニットのいずれかを動作状態とする切換え操作部材と、第１と第２のディスク駆動ユニットのそれぞれに対し共通にディスク選択指示を行うディスク選択操作部材が設けられ
、前記第１のディスク駆動ユニットに設けられた前記回路部では、前記切換え操作部材の操作入力に応じて、第１のディスク駆動ユニットのオーディオ回路と第２のディスク駆動ユニットのオーディオ回路との切換えが行われる
　　　【００１０】
　　【作用】
　上記手段では、それぞれがディスク選択機能とディスク駆動機能を有している第１と第２のディスク駆動ユニットが設けられた場合において、それぞれのディスク駆動ユニットを操作できる操作面が一方のディスク駆動ユニットに設けられている。よって例えばこの操作面が設けられたディスク駆動ユニットを車室内のダッシュボードなどに設置し、他方のディスク駆動ユニットをトランクルームなどに設置することにより、車室内に設けたディスク駆動ユニットの操作面により両ディスク駆動ユニットの操作を行うことができるようになる。
　　　【００１１】
　また操作面において切換え操作部材により第１と第２のディスク駆動ユニットを切換え、さらに共通のディスク選択操作部材により、それぞれのディスク駆動ユニット内でのディスク選択操作ができるようになる。
　　　【００１２】
　　【実施例】
　以下、本発明の実施例を図面を参照して説明する。
　図１は本発明によるディスク選択駆動装置の構成の一例を示す各ユニットごとの斜視図、図２は各ユニットの構成を示すブロック図、図３は一方のディスク駆動ユニットに設けられた操作面を示す正面図である。
　図１においてＡは第１のディスク駆動ユニットを示し、Ｂは第２のディスク駆動ユニットを示し、Ｃはスピーカを示している。実際の装置構成ではスピーカＣは２個以上設けられるが図では１個のみ示している。
　　　【００１３】
　第１のディスク駆動ユニットＡは、車室内のダッシュボードに設置できる小型のものであり、その外形寸法は車載用ラジオや車載用テーププレーヤなどと同じいわゆる１ディーンサイズである。このディスク駆動ユニットＡの筐体１の前方にはノーズ部２が設けられ、このノーズ部２は、ダッシュボードにて車載用テーププレーヤの操作部などと並んで他の自動車操作部とほぼ同一面に露出して配置される。
　　　【００１４】
　ノーズ部２には、マガジンＭ１が挿入される挿入口３が開口し、さらにノーズ部２の前面には操作面４が設けられている。このノーズ部２の正面形状は図３に示すとおりである。マガジンＭ１には例えば３枚程度の少数のディスクが収納される。筺体１の内部には、マガジンＭ１内から選択されて引出された１枚のディスクＤが装填されるディスク駆動部５が設けられている。このディスク駆動部５には、ディスクをクランプして回転させるターンテーブル機構と、回転するディスクＤに対向して再生を行う光ヘッドなどが設けられている。また筐体１内には、マガジンＭ１内から所定のディスクを引出して前記ディスク駆動部５に送り込むオートチェンジ駆動部２１（図２参照、図１では図示せず）が設けられている。また筐体１の底部などには回路部６が設けられている。
　　　【００１５】
　前記オートチェンジ駆動部２１によるディスク選択動作は、マガジンＭ１を一旦（イ）方向へ突出させた状態でマガジンＭ１内の所定のディスクを選択して引出し、このディスクＤをディスク駆動部５に装填した後にマガジンＭ１を（ロ）方向へひき戻し、マガジンＭ１を再生中のディスクＤと重なる位置へ収納するものである。
　　　【００１６】
　第２のディスク駆動ユニットＢは比較的大型のものであり、例えば自動車のトランクルーム内などに設置される。このディスク駆動ユニットＢの筺体１０には、マガジン挿入口１１が設けられ、例えば６枚程度の多数のディスクＤが収納されたマガジンＭ２が、このマガジン挿入口１１から筺体１０内に装着される。筺体１０内には、マガジンＭ２内から選択されたディスクＤが装填されるディスク駆動部１２が設けられている。このディスク駆動部１２には、マガジンＭ２内から選択されて引出されたディスクＤがクランプされて回転駆動されるターンテーブル機構と、回転するディスクＤに対向して再生を行う光ヘッドなどが設けられている。また筺体１０内には、マガジンＭ２内から選択されたディスクＤを引出してディスク駆動部１２に送り込むオートチェンジ駆動部３１（図２参照、図１では図示せず）が設けられ、また筺体１０の底部などには回路部１３が収納されている。
　　　【００１７】
　第２のディスク駆動ユニットＢ内に設けられた上記オートチェンジ駆動部３１は、筐体１０内に挿入されて保持されたマガジンＭ２内から所定のディスクＤを引出し、これをディスク駆動部１２内のターンテーブルに送り込むものである。
　　　【００１８】
　図２に示すように、第１のディスク駆動ユニットＡには、前記ディスク駆動部５およびオートチェンジ駆動部２１が設けられている。また、前記回路部６には、ディスク駆動部５の光ヘッドによりディスクＤから検出された信号の復調処理や誤り処理などを行うデータプロセッサ２２、ステレオ復調処理やデエンファシス処理などを行うオーディオ回路２３およびオーディオスイッチ２４が設けられている。さらに回路部６にはＣＰＵ２５が設けられ、このＣＰＵ２５により前記ディスク駆動部５とオートチェンジ駆動部２１などが制御される。またノーズ部２に設けられた操作面４により操作された操作信号は前記ＣＰＵ２５に入力される。また図３に示すように、操作面４には液晶パネル７ａが設けられているが、この液晶パネル７ａおよびその駆動回路などを有する表示部７がＣＰＵ２５により制御される。
　　　【００１９】
　前記オーディオスイッチ２４は、第１のディスク駆動ユニットＡのディスク駆動部５から再生されたオーディオ出力と、第２のディスク駆動ユニットＢのディスク駆動部１２から再生されたオーディオ出力とを切換えるものである。このオーディオスイッチ２４により切換えられたオーディオ出力が、アンプ２７により増幅されスピーカＣから再生音量が出力される。このアンプ２７は、第１のディスク駆動ユニットＡの回路部６に設けられ、あるいは単体のアンプとして自動車に搭載される。
　　　【００２０】
　第２のディスク駆動ユニットＢには、前記ディスク駆動部１２およびオートチェンジ駆動部３１が設けられているが、さらに前記回路部１３には、データプロセッサ３２、オーディオ回路３３、およびオートチェンジ駆動部３１を制御するＣＰＵ３４などが設けられている。オーディオ回路３３からのオーディオ出力は接続線３５により前記第１のディスク駆動ユニットＡ内のオーディオスイッチ２４に送られている。
　　　【００２１】
　第１のディスク駆動ユニットＡのＣＰＵ２５と第２のディスク駆動ユニットＢのＣＰＵ３４は、データバス３６により接続されている。図１に示すように、両ディスク駆動ユニットＡとＢは、前記接続線３５およびデータバス３６により互いに接続されている。
　　　【００２２】
　第２のディスク駆動ユニットＢに設けられた前記データプロセッサ３２とオーディオ回路３３の機能は、第１のディスク駆動ユニットＡに設けられたデータプロセッサ２２およびオーディオ回路２３と同じである。よって、第１と第２のディスク駆動ユニットにてこのデータプロセッサとオーディオ回路を兼用することができる。具体的には、図２において第１のディスク駆動ユニットＡに設けられたオーディオスイッチ２４、第２のディスク駆動ユニットＢに設けられたデータプロセッサ３２とオーディオ回路３３を設けず、ディスク駆動部５からデータプロセッサ２２への出力経路に切換えスイッチを設け、この切換えスイッチへ第２のディスク駆動ユニットＢのディスク駆動部１２からの再生検出出力を送り、この切換えスイッチにより、ディスク駆動部５の光ヘッドからの検出出力とディスク駆動部１２の光ヘッドからの検出出力を切換えて、共通のデータプロセッサ２２に送るようにすればよい。
　　　【００２３】
　次に、図３により、第１のディスク駆動ユニットＡに設けられたノーズ部２の前面の構成を詳しく説明する。
　前述のようにこのノーズ部２にはマガジンＭ１が挿入される挿入口３が開口しており、この挿入口３には扉４１が設けられている。この扉４１は、挿入されるマガジンＭ１に押されて筐体１の内方へ回動して開かれる。またノーズ部２の前面には前記液晶パネル７ａが設けられ且つ操作面４が形成されている。
　　　【００２４】
　上記操作面４には各種操作部材が配設されている。この操作部材のうち主なものを説明する。
　操作面４の下部左側には、切換え操作釦４２ａ，４２ｂが設けられている。切換え操作釦４２ａを押すと、第１のディスク駆動ユニットＡが動作状態となるように切換えられ、切換え操作釦４２ｂを押すと第２のディスク駆動ユニットＢが動作状態となるように切換えられる。なおこれらの切換え操作釦４２ａ，４２ｂと並ぶ切換え釦４３は、チューナヘの切換え用であり、この切換え釦４３を押すことにより、第１のディスク駆動ユニットＡと同じ筐体１内に設けられたチューナによりラジオ受信状態となる。
　　　【００２５】
　ほぼ中央に設けられた６個の釦は、ディスク選択釦４４である。この６個の選択釦４４にはそれぞれ１，２，…６の番号が付されている。前記切換え操作釦４２ａが押されて第１のディスク駆動ユニットＡが動作状態になっているときには、前記ディスク選択釦４４のうちの上列の３個がそれぞれマガジンＭ１内に収納されているディスクＤを呼びだすものになる。すなわち１，２，３の番号が付されたいずれかのディスク選択釦４４を押すことにより、マガジンＭ１に収納されている３枚のいずれかのディスク例えばしたから順に１番目、２番目または３番目のディスクが指定され、この指定されたものがオートチェンジ駆動部２１によりディスク駆動部５に送り込まれる。
　　　【００２６】
　また前記切換え操作釦４２ｂが押されて第２のディスク駆動ユニットＢが動作状態となっているときには、６個のディスク選択釦が、マガジンＭ２に収納されている６枚のディスクを呼びだすものとなる。すなわち１，２，…６の番号が付されているディスク選択釦４４のいずれかを押すと、その番号に対応したディスクＤがマガジンＭ２内から選択される。例えばマガジンＭ２に収納されているディスクＤの下から１段目、２段目、３段めのものがそれぞれ、ディスク選択釦４４の番号１ないし６に対応する。この釦を押して選択されたディスクＤが、オートチェンジ駆動部３１によりマガジンＭ２から選択されて引出されディスク駆動部１２に送られる。
　　　【００２７】
　操作面４の左上部には曲選択釦４５ａと４５ｂが設けられている。いずれかのディスクＤが選択されて、ディスク駆動部５または１２にクランプされている状態において、曲選択釦（ＵＰ）４５ａを押すと、再生曲が次の１曲の頭位置にジャンプする。曲選択釦（ＤＮ）４５ｂを押すと、再生曲が１曲戻ってその頭位置にジャンプする。なお曲選択釦４５ａをある時間以上押すと、再生中の曲の早送りになり、曲選択釦４５ｂをある時間以上押すと、再生中の曲の早戻しになる。
　この曲選択釦４５ａと４５ｂは、第１のディスク駆動ユニットＡが動作状態となっているときと、第２のディスク駆動ユニットＢが動作状態となっているときとで、共通の操作釦として使用されることになる。
　　　【００２８】
　このように前記ディスク選択釦４４と曲選択釦４５ａ，４５ｂは、共に第１のディスク駆動ユニットＡと第２のディスク駆動ユニットＢのそれぞれに対し共通の操作釦として使用される。これらの操作信号は第１のディスク駆動ユニットＡのＣＰＵ２５に入力されるものであるが、第１のディスク駆動ユニットＡが動作状態となっているときには、これらの操作釦の操作にしたがってＣＰＵ２５がオートチェンジ駆動部２１とディスク駆動部５を制御する。また第２のディスク駆動ユニットＢが選択されているときには、前記操作釦による操作信号はＣＰＵ２５に入力され、さらにデータバス３６を経て第２のディスク駆動ユニットＢ内のＣＰＵ３４にデータが送られ、このＣＰＵ３４によりオートチェンジ駆動部３１とディスク駆動部１２とが制御される。
　　　【００２９】
　４６ａと４６ｂは音量／音質調整釦である。音量と音質の調整は切換え釦４７を押すことにより切換えられる。音量調整に切換えられているときには、調整釦（ＵＰ）４６ａを押すことにより音量が上がり、調整釦（ＤＮ）４６ｂを押すことにより音量が下がる。また音質調整に切換えられているときには、調整釦４６ａを押すと高音が強調され、調整釦４６ｂを押すと低音が強調される。
　操作面４の右下位置にはイジェクト釦４８が設けられている。このイジェクト釦４８を押すことにより、第１のディスク駆動ユニットＡに挿入されているマガジンＭ１が外部に排出される。
　　　【００３０】
　次に動作について説明する。
　例えば前記切換え操作釦４２ａを押して第１のディスク駆動ユニットＡを選択すると、この操作入力がＣＰＵ２５に与えられ、第１のディスク駆動ユニットＡが動作状態になって、ＣＰＵ２５がオートチェンジ駆動部２１とディスク駆動部５を制御するようになる。また切換え操作釦４２ａを押すことによりＣＰＵ２５からの指令によりオーディオスイッチ２４が切換えられて、第１のディスク駆動ユニットＡのオーディオ回路２３からのオーディオ出力が選択されてアンプ２７に送られるようになる。
　　　【００３１】
　第１のディスク駆動ユニットＡが選択された状態で、ディスク選択釦４４の上列の３個のいずれかを操作することにより、ＣＰＵ２５からの指令によりオートチェンジ駆動部２１が動作して、マガジンＭ１内のいずれかのディスクＤが選択される。また曲選択釦４５ａまたは４５ｂにより、再生中のディスクにおける曲選択が行なわれる。
　　　【００３２】
　切換え操作釦４２ｂを押して第２のディスク駆動ユニットＢが選択されると、この操作入力がＣＰＵ２５に与えられ、さらにそのデータがデータバス３６から第２のディスク駆動ユニットＢのＣＰＵ３４に与えられて、ＣＰＵ３４がオートチェンジ駆動部３１とディスク駆動部１２を制御するようになる。このときＣＰＵ２５からの指令により、オーディオスイッチ２４が切換えられ、第２のディスク駆動ユニットＢのオーディオ回路３３からのオーディオ出力が選択されてアンプ２７に送られる。そしてディスク選択釦４４の操作信号、曲選択釦４５ａ，４５ｂの操作信号はＣＰＵ２５に入力され、そのデータがデータバス３６からＣＰＵ３４に与えられ、オートチェンジ駆動部３１が駆動されてマガジンＭ２からディスクＤが選択され、またディスク駆動部１２が駆動されて、曲選択が行なわれる。
　　　【００３３】
　なお上記実施例では、切換え操作釦４２ａまたは４２ｂによりディスク駆動ユニットＡまたはディスク駆動ユニットＢが選択されると、両ユニットＡおよびＢに対してディスク選択釦４４と、曲選択釦４５ａ，４５ｂが共通に使用されるようになっているが、例えば曲選択釦４５ａ，４５ｂのみが両ユニットＡとＢにて共通に使用され、ディスク選択釦は別々に設けられていてもよい。例えばディスク駆動ユニットＡに対応する第１のディスク選択釦と、ディスク駆動ユニットＢに対応する第２のディスク選択釦がそれぞれ１個ずつ設けられており、第１のディスク選択釦を１回押すごとに、第１のディスク駆動ユニットＡにおいて選択されるディスクが１番目、２番目、３番目に切換えられ、同様に第２のディスク選択釦を１回押すごとに、第２のディスク駆動ユニットＢにおいて選択されるディスクが１番目から６番目まで順に切換えられるようにしてもよい。
　　　【００３４】
　さらに、操作面４が設けられた第１のディスク駆動ユニットＡを１個設け、第２のディスク駆動ユニットＢを２個以上設けても、これらを接続することにより、同じような操作が可能になる。
　　　【００３５】
　　【発明の効果】
　以上のように本発明によれば、一方のディスク駆動ユニットに設けられた操作面の操作部材を操作することにより、２つのディスク駆動ユニットのそれぞれに対しディスク選択操作などができるようになり、操作しやすくしかもディスク選択の幅を広げることができる。
　　　【００３６】
　請求項２記載の発明では、それぞれのディスク駆動ユニットにおいてディスク選択操作部材を共通に使用することができ、操作面における操作部材の配列を簡単にできるようになる。
【図面の簡単な説明】
　　【図１】
本発明によるディスク選択駆動装置のそれぞれのユニットを示す斜視図、
　　【図２】
ディスク選択駆動装置のそれぞれのユニットの構成を示すブロック図、
　　【図３】
操作面の構成の一例を示す正面図、
　　【符号の説明】
Ａ　第１のディスク駆動ユニット
Ｂ　第２のディスク駆動ユニット
Ｃ　スピーカ
Ｄ　ディスク
Ｍ１，Ｍ２　マガジン
２　ノーズ部
３　挿入口
４　操作面
５，１２　ディスク駆動部
７　表示部
２１，３１　オートチェンジ駆動部
２２，３２　データプロセッサ
２３，３３　オーディオ回路
２４　オーディオスイッチ
２５，３４　ＣＰＵ
４２ａ，４２ｂ　切換え操作釦
４４　ディスク選択釦
４５ａ，４５ｂ　曲選択釦